(57)【要約】アーチ型のシリンダー形ポータブル、取り外し可能なまたは永続的なレース、文字列、ワイヤー、ベルト、ケーブル、ストレージ、締め付け、締め付け、回転ダイヤルが装備されている装置の種類の実施形態のロックのようなヴォールト以外にカプセル化され、または、2 つの挿入孔が戦略的に位置するロック機構、商工会議所またはヴォールトを保持、反対側を挿入されたとき内部的に配置されたクランプを介してすべての締材料端、または紐アグレット工夫を保持して次のステップの準備ができてそれらを従事します。(装置の上部または横または下の部分に置かれた) ダイヤルはその後単に回転やアイテム、またはアイテムが完全に引き締めながらここ当該装置の保持チャンバー ボールトにひもおよびまたは留め具または放出材料の収縮を開始する着用者が自動的に、または手動で時計回りに。レースおよびまたはすべて締材料が締められて、かつ永久にロックされている場所、着用靴または単に押したりリリース ボタンを押すことによってアイテムを緩めることを決定またはレバーにより手動でダイヤルを反時計回りを回転または電源自動靴まで、またはアイテムを完全に緩めたまでここに当該装置の貯蔵の部屋内に残る削除する準備ができています。移植性とモビリティのデザイン革新を通じて利便性、使いやすさ、価値の増大し、着用者を単純に無効になっている個人、高齢者、スポーツ人のかどうか、彼らは子供、大人で提供するアイテムに適用またはその他に本明細書に当該装置できます。三重の設計技術革新、彼らが、3) と、取り外し可能な 1) ポータブル 2) に固定された基本器具はここ別の全く違うアイテムに個別に使用されている装置を言った。
2017501754.tif 000002
【特許請求の範囲】
【請求項１】
包括的な主張です。Hereinsaid 装置、または Lacevault。 この主張は機能の組み合わせを包含する、彼らは、個別の要求に区分します。本装置簡易タイトル、Lacevault に周知します。したがって、Lacevault は、4 倍の地形の特徴を通じて事前の芸術からの明確な違いを主張します。最初の地形デザインの特徴: Lacevault は、彼の 11 歳ダウン症兄、イザヤ マヘ、闘争は彼自身の靴ひもを結ぶことを見た 2010 年に 13 歳の少年、参加マヘによって設計されました。それは 1) ポータブル設計されています、2) 取り外し可能な。Lacevault のデザインの特徴は、します。a) カプセル ヴォールトや b) のマニュアルのリリースを含む商工会議所 c) または自動リリース d) 2 つの挿入穴を挿入し引き込まれる中心部に自動的にロック場所ですべての固定材料 f) らせんのデザインを保持するクランプ機構設計機能と e) 内部クランプ特集 Lacevault の締付用保持室の反対側に配置ヘリックス デザイン機能と g) 内部のセンター ポール、クランプのらせんと嵌合がある 2 つの機能 1) により、centrepole の周りをラップする固定材料 Lacevault 室に内側描画されて 2) により、クランプ、上方に行き、中心部に螺旋デザイン機能とピークまたはセンター ポールの上部にエレベーターのように屋根や Lacevault j の下部で停止や) ラチェット ロックと解放できるデザイン機能すべての素材を少しずつひも、クリック k を撤回する Lacevault) を項目、商品または製品にポータブルの Lacevault を保持するクリップしながら着用されています。アプリケーションの機能の 2 番目の地形: ポータブル、取り外し可能なアプリケーション以外、Lacevault は金属ワイヤーやチェーン、文字列、ロープ、プラスチック、服ストラップ、靴紐、またはひも b) 1 つに該当する商品、アイテムまたは製品など) すべての固定材料に適用できるが、靴、服、ゴーグル、太陽や眼鏡、バッグ、腕章、armbrace、膝装具を読み取りに適用される、足首を引き締める、繊維とプラスチックまたは金属のヘルメットとキャップと時計とする必要があるすべてのアイテムの異なる品揃え固定する、ロックおよび c を解放) ないだけ障害者に該当するが、によってまた適用され、子供、大人、親、介護者、スポーツの人々 や労働者とすべての能力の d の専門家によって使用される) スポーツ業界、職場でもファッション業界などすべての業界に適用されます。3 番目の地形は機能です。 1 挿入穴 1 つから離陸、ポータブルであることができる項目し、全く異なる製品 2 に転送) 3) エレベーターの中央に逆らせん紐アグレットおよびまたはすべての固定材料を保持する内部クランプ クランプ (図 22 を参照) ひも材料両端、または上部または下部に離れてアグレット センター ポール 4) 店を上下に移動することが可能、Lacevault e) 手動で、ロックまたは増分のクリック機能でリリースが f 操作ラチェット デザイン機能) または電子自動化された電気や電池、太陽動力を与えられたメカニズム デザイン機能を強化し、取り付け部品を自動的に解放します。方法論の使用機能の 4 番目の地形: a)ユーザーの弓を結ぶことがない b) ひもが離れてストアド、不良ではありません、または弓からループをブラブラ、結び目を縛らちゃんと、Lacevault のチャンバ内で離れて保存結び目または場所の固定材料を保持するために c) の要求または問題のある装置��d) 完全にきつく締められた項目 e Lacevault のダイヤルを回す) 取り外し可能なアプリケーションは、単にデタッチまたは独自項目と f に基づく恒久的に貼付するポータブル Lacevault を接続し直します) ポータブル Lacevault アイテム g に接続されている滞在する必要はありません) アイテムながら Lacevault を削除することができますを強化、ユーザーまたはボディの部分または項目 h が着用) から Lacevault のグリップを緩めるリリース ボタンを押してアイテムです。クレームを取囲みます。 したがって Lacevault とやここ装置 1) 設計機能 2 のこれらの 4 つの異なる地形の特徴に Lacevault の複数の独創的な機能を分割することによって事前の芸術からの明確な違いと主張) アプリケーション機能 3) と 4) の使用法の方法論。Lacevault も 1) ポータブル、また 2) 取り外し可能なだと主張恒久的な基地を持つ。 それぞれは機能を主張しました。 
【請求項２】
1 つ、挿入穴を機能します。 この最初機能主張や、i)、ひも、ワイヤー、ベルト製品に装着することができるという素材 ii) かポータブル iii) と完全に 1 を提供する Lacevault の反対側に戦略的に置かれた 2 つの挿入穴から成るデザイン機能を介して着脱装置能力を引き締め Lacevault) 材料 2 を結束するための入口と出口穴) 固定材料 3 の 2 つの端を分離) される固定材料を許可します。均等に分散らせんセンター ポール 4 ラップとして) 靴紐と Lacevault 5 に挿入されるすべてのひも材料をことができます) クランプ、開催、場所、6 でロックする) ヘリックス デザイン機能とクランプは、屋根または Lacevault 7 の下部まで旅行) 両端または aglets 離れて 8 を保存) ダイヤルは手動で時計回りに回転し、または太陽光バッテリ駆動機構リトラクトひも材料またはLacevault、9 の保持の商工会議所のボルト) に着用者まで消費者とユーザーは、10 のリリース ボタンを押して、製品のグリップを解放する決定する) その後完全に、独立したポータブル、モバイル、Lacevault を残して挿入穴を通してひも材料をはずすこと。機能をはずすこと。 また 2、3、および 4 は、主張のためこれらの Lacevault 機能は、完全な解放機能靴紐や留め具材料 2 つ挿入穴を Lacevault から完全に引き出されて 3、主張する内部クランプが発表した 2 と主張無制限、超然し、完全に外れる完全に空にして、商工会議所、Lacevault、それを残してします。上の空の Lacevault は、別の完全に異なる靴に再接続することができます、今バッグ、armbrace、アイテム、商品または製品。 
【請求項３】
特徴 2、クランプ機能設計機能。 留め具、締め、または材料の両端を解放と、または、項目のアグレットが請求項 2、クランプのクランプ, i) 自動的に作動させた経由で指定された挿入穴に挿入されますと ii) または手動で図面に表示される Lacevault の設計機能の数字 11 と 12 と 15 と 18 と 19、20、22 ボックス 20 矢印デザイン機能により保持をクランプするには、クランプ、押収を握りしめ、スナップ ロック、解放機能プロセスの実施まで、場所に保管します。 
【請求項４】
クランプのエレベーターの機能、3 つを特徴します。 前科の芸術から、本装置を分離する個別の機能は、エレベーター機能機能と主張、説明、図 13 に示されているです。ユーザーがこの非常に明瞭な機能の設計、図 13 ボックス 40 & 41、エレベーターのクランプ、Lacevault ダイヤルに変わったらエレベーター クランプ部で内部の螺旋の反対と交配されてねじれデザイン機能、図 13 ボックスを突出や 41、クランプやナット、Lacevault、固定材料の端の端を離れてそれにより格納の屋根に向かって上向きに移動を強制するねじれデザイン機能開始やアグレット固定材料の残りの部分は描画、または、Lacevault の部屋に収納されて、スマートに収納しながら離れてロックします。固定材料をらせんのデザイン機能を使ってエレベーター クランプがエレベーター クランプ、またはそれはの終わりになったら自動的に止まるところ Lacevault の下部にヘリックス デザイン機能を使って下る Lacevault の屋根から外れるしナットを強制的に開始まで段階的 Lacevault 商工会議所ボルトから空に開始ボタンやレバーを解放 Lacevault がプッシュ、またはプルされたとき、らせんサイクル、ユーザーや着用者単に引き出し取り付け部品やボルトからアイテムのアグレット、ひもから全体の Lacevault を完全に外すに挿入穴から完全にポータブル、Lacevault を残して、完全にどこに配置されます。クランプはその後ユーザーもう一度、Lacevault のさまざまな機能を開始するまで、Lacevault の下部にご利用いただけます。ないぶら下がりループまたは緩いひも: 今、前述のクレーム 2 と 3 の Lacevault のため、安全に 1) クランプ、2) 撤回、3) 4) 靴紐をロックしや保持保持、Lacevault 商工会議所内の材料のひもを結んで、緩んでいるか、元に戻す来ている任意の材料の可能性がない子が着用している間をこぼしたりして、アダルト、健常者や障害者、スポーツの専門的またはそれ以外の場合の消費者。弓の場所で靴紐の結び目により先行発明ロックを使用することは困難であることを証明、tugged 緩いとループ、またはバンドルされて、靴紐を去る決心をゴムひもで or を種類別または余分な前の芸術装置によってまたは、配置で、内部、外部、する必要があります結び目で宙ぶらりんに残されて、障害、原因と不快感、かかと、側面または足の裏の水ぶくれが生じる、それらは実用的な使用で効果がレンダリングとの特にそれら。 
【請求項５】
靴用だけではなく、4 を特徴します。 ポータブル ・ アプリケーションのための Lacevault、靴アプリケーションだけに限定されない、それもすることができますに適用できます他とまたは別のアイテムのようなブレースの足首、膝、腕、手首や腕のバンドや、それ以外の場合、袋、管スーツのズボン、パンツ、フード付きトップス、ベルト、帽子、メガネ、ゴーグル、ベルト、ジャケット、時計、手袋やそれ以外の項目図図 10 と 16 と 17 図面提出の水泳します。 
【請求項６】
機能 5、ユーザーのすべてのタイプのために設計。 この機能で使用される Lacevault ができ異業種、能力とネクタイまたは物理的または精神的な制限、弓や介護など、常に定期的に患者または子供のひもを結ぶことを必要とする両親の結び目を結ぶことができない人と、障害のあるユーザー、靴紐を結び直すの中間競争を止めることはできないプロ選手などの職業に適用されます。、子供、ティーンエイ ジャーと、シンプルさを求めているユーザーを容易、迅速、締める文体、トレンディでファッショナブルなデバイスを引き締め、そして、Lacevaultの内で完全に離れてロックちゃんと靴紐を安全に格納します。セキュリティと靴ひも、ひも、ベルトのこと、知ること、Lacevault のすべてのユーザーに心の平和がワイヤーを提供する文字列、またはそれ以外の場合固定材料が残っているロック場所にアイテムを着用されている間。 
【請求項７】
機能 6、ポータブル アプリケーション: Lacevault の図、図 1 b、1 c、2 a、2 b、11、12、および 13 は完全にポータブル譲渡とモバイル アプリケーションで。請求項 1 に記載のデザイン特徴では、固定ベルト、ワイヤー、文字列、ひも、ひも、ロープ、プラスチック製のストラップ等を持つ製品やは、任意の項目や商品に添付またはそれ以外の場合に Lacevault ことができます。Lacevault ポータブル アプリケーションは項目の固定材料からクレーム 1、2、3、4 で説明したように、簡単に外れるしその後再装着や再従事または別のものに再適用される全く別のアイテムまたは製品や商品をバッグから切り離し、靴やゴーグルや帽子やパンツにそれを再適用またはそれ以外の場合。 
【請求項８】
機能 7、取り外し可能なキャップまたは永久的な独自の基盤からの Lacevault: Lacevault は取り外し可能です。これは、機能の設計に Lacevault により、永久に基づく製造治具図 10 と 13 に見られるから切り離された独自ので靴、帽子、バッグ、パンツ、膝装具や製品。それは項目を完全に製造されたベースに合うように完璧に設計されて、取り付け部品が完全に製造されたベースのマッチングを通して突出図 10 穴に向かい、固定材料は縫い、項目内に隠されたまたは請求項 2 に記載されている製品、ユーザー挿入取り外し可能な Lacevault の挿入孔を介して取り付け部品 (ワイヤーまたはレース)、Lacevault 基本製造された取り外し可能な Lacevault で従事する再独自の永久に完璧にフィットすると完全に締め付け、ダイヤルの回転を介して撤回内部のクランプで固定します。アイテムがリリースされる完全に、Lacevault が完全に削除または恒久的な基地を切り離します。取り外し可能な Lacevault その後今改装や再適用でき別のものに再アタッチ全く別の靴や帽子や製品や商品独自の基本治具または継ぎ手があるか、またはそのような装置が含まれていない項目、今戸建 Lacevault ポータブル アプリケーションの機能に。ダイヤルの配置: 衣料品のアイテムを強化するを有効にするユーザー、消費者や着用者の使用靴、バッグ、またはそれ以外の場合が設計し、1) 保持室の真上 2) と中間スライド ダイヤルとして 3)、または下部に配置、Lacevault ダイヤルと 4) またはの一部として、プル サブスクリプション、またはプッシュ リリース機構設計機能。取り外し可能なキャップ: この機能では、単にデタッチして私たちのキャップとその後別の Lacevault ベースとに別のロゴとまたはそうでなければ独自の製造 Lacevault キャップ キャップに再アタッチ ベースことができます。 
【請求項９】
場合を除き、機能 8、リリース機構は解放しません。 このデザイン機能は、クランプのエレベーターではないとして 3 の主張と同じではありません。クレーム 1、2 と 3 で主張しているこのデザイン機能の機能はロックし、段階的項目または項目からひもを解放します。靴紐やレースから、Lacevaultの任意の偶発的な解放が決してあるとまたはロック解除機構締め付け、締め付け、着用者、ユーザーや消費者が単に押す、押す、またはリリース ボタンやレバーを引いて、靴または製品を緩めを選択するまでに材料を解放、マニュアルまたは自動ターンを介して Lacevault の固定ボルト商工会議所から材料をひもの内容を解放し始めるまたは完全に完璧に増分することによってクリック ロック歯を介してと緩めたり、靴や帽子やバッグや足やアイテム、または着用者またはユーザーの部品から完全に項目をそれによりゆるみ Lacevault から固定部品の十分な量が放電されるまでデザイン機能をラチェットに反時計回り方向にダイヤルの回転。自動電子機構: 自動にロックとリリース、Lacevault の機構設計の機能を搭載 1) 3) バッテリまたは 2) 太陽エネルギー電力充電プラグによっていずれかが運営。人と任意の能力や障害者を引っ張る、またはプッシュ ダイヤルやボタンまたはレバー、ここと Lacevault の電子自動化されたメカニズムは取るか、または Lacevault の固定ボルト商工会議所からファスニングの内容を空にするで、自動的に動作を開始します。Lacevault は、ボタンやレバー、各ボタンやレバーの 1 つのボタンをリリースする予定のように、特定の機能を持つ、引き締めのための他のペアと作り出すことができます。 Lacevault は、項目を削除しながら項目にとどまります。 この機能は、増分のために今、解放、靴、バッグ、帽子などのアイテムから、Lacevault を少し緩めることができるとまたはそれ以外の場合、Lacevault に滞在しながら、ユーザーや着用者から完全に削除されるように接続取り付け部品や製品、商品やアイテム。 
【請求項１０】
機能 9、独自の製品を製造しました。 主張を図 16 と図 17 に示します。彼らは取り外し可能な Lacevault の独自に恒久的に貼付の製造された靴、バッグ、帽子、armbraces や図面の数字 5 と 6 と 7 と 8 と 10 と 11 と 12 のように、そうでなければ基本装置で製造されています。材料のうち、Lacevault が行われる: 素材は、abs 樹脂、ポリプロピレン、ポリウレタン、すべての他のようなのプラスチック材料のうち、Lacevault の製造が可能します。真鍮、アルミニウム、スチール、ゴールド、シルバー、炭素繊維、ガラス、木材、同類の素材からも製作できます。宝石・ アクセサリー、Lacevault に貼付: Lacevault は、アクセサリーなど、ダイヤモンド、水晶、真珠、ガラスとやすべてのジュエリー型材を貼付したものも製作しなければなりません。ないの補助装置: 前芸術又は発明と締めの特定のタスクを完了するメインの前芸術の発明を支えるコンポーネントまたは他や補助器具や追加機器の支援が必要、場所でロック、靴ひもをしっかりと保持します。フック、フラップ、ゴムひも、ガイド、その他の追加装置の援助なし前科の芸術は役に立たないと機能の無効レンダリングされます。使用の彼らの方法論に限定されて退屈な引っ張って、スレッド、スナップを締め、ロック、非表示および緩い靴ひも、ひも、または固定材料をたらふく追加装置を必要とします。 
【請求項１１】
10、Lacevault 取り外し可能な自社製品を機能します。 この機能は 7 の機能と同じではなく、請求項 8 記載。これは、主張は独自の製造 Lacevault の靴の上の部分から取り外し可能な底を唯一の Lacevault には図面の図 12 時結合フォーム全体の靴。裏の上の部分と靴の半分が従事上面、グリップまたは靴の上半分に設計機能と、Lacevaultのダイヤルとして手動で、または自動的に時計回りになってクリップに完全にクランプの下の部分がそれにより上の部分にソールをロックする Lacevault の機能を始めて 12 の図に示す、それによって全体の靴を作成します。ばらばらにクランプ、ロックし、図面の図 12 で示すように、場所でしっかりと一緒に開催された 2 つの部分の可能性はないです。Sole は、他のスタイルとの交換可能です。 着用者や消費者交換、再接続、再適用ししたり別の全く違う唯一のスワップ、着用者は単に靴と完全独立スタイル、ファッション、トレンド、ルックス、色、スポーツ、機会、またはそれ以外の場合、ユーザーまたは消費者が必要に応じて異なる Lacevault 底を単に再アタッチの上部からソールを分離します。ソールは分離するいると、足からはずされるべき項目自体の上半分がありません、バスケット ボール靴底は秒の問題で単独ランニング シューズの交換だけのカコアル摩耗ソールにドレス靴底が交換されているように、全く異なる Lacevault ソールと交換します。ちょうど、例やサンプル図面、しかし、バッグ、衣料品、ツール、設計と 2 つの部分そしてしたがって接続を必要とする、またはこの機能の機能アプリケーションを組み立ての製造がそれ以外のアイテムなどの他の項目にパーツの着脱ができる唯一の Lacevault のこれらの着脱、交換、譲渡や交換可能な部品、10, 11 と主張します。 
【発明の詳細な説明】
【技術分野】
【０００１】
本装置簡易タイトル、Lacevault に周知します。本発明は、靴紐、レース、ケーブル、ワイヤ、文字列、ベルトすべて締め、締めと材料を解放を完全にカプセル化ポータブル、取り外し可能なデバイスに関する。3) 5) 3 異なるアプリケーションとファスナーの締め、4) ロックと解放機能、使用法の複数の方法論、デザイン機能の多くの亜種 1) 収縮筋 2)、storer の機能・ リテーナの複合機能しています。Lacevault 本発明の好ましい実施形態は、ポータブルまたは取り外し可能なカプセル化されたストレージ、撤回、引き締め、締付ロック靴ひものリリース装置、ひも、ケーブル、文字列、ワイヤー、ベルトやすべて締め、締めと; で使用されるその他の製品、または靴の材料を解放として主に使用されます。自分の靴ひもを結ぶことができない子供スポーツ彼らの靴を保つために、レースに依存している人、帽子、バッグ、好きな締め、普通の毎日の家事、スポーツ、仕事、ダンス、ウォーキング、ランニングやハイキング、好きな活動を実行しながら、所定位置にロックします。 
【背景技術】
【０００２】
この仕様で先行の議論ではないと、発明の分野の一般常識の範囲の入場として取られるべきではないです。むしろ、先行技術の議論は単なる発明を理解する受取人を支援するために提供される、含まれる偏見なし。その場で固定、ロック、保持および装置を通常解放のため既存の前芸術技術、退屈なまたは弾性ひもや材料と合わせたりそれら先行発明を残してインストールする者から追加の努力労働集約型と手動で処分するひもおよびループまたは緩い葉スナップ ロック装置などの余分な器具の援助を必要とする、本質的に永続的です。このため、緩いひも材料を密航前芸術を支援するために追加の装置が必要です。デザイン機能、機能効率、アプリケーションの機能およびこれらの事前の芸術や既存装置、デバイスとそのプロセスに使用する方法に改善はすべてのスポーツの人々、スポーツ専門家、ファッションとトレンドの求職者、ティーンエイ ジャー、企業幹部、子供、大人と人すべての能力や障害のすべての個人を含む靴など、これらのアイテムを身に
着けているため、非常に有利になります、帽子、バッグ、armbraces、が好きです。本明細書に当該装置事実上を組み合わせたすべての事前の芸術の発明追加技術革新と強化されたデザイン、アプリケーション、機能と機能の使用法など2 従事すること 1) 3) 完全に締め付け、旅行 5) を格納する上下にクランプを強制インクリメンタル クリック 4) ねじれデザインを締結を取り消し、6) 永久にロック 7) 簡単な解放すべての固定材料を維持しつつ、剥離 8) 再適用または他のバッグに簡単に再接続、靴または項目 9) すべてのタイプに適用靴ひも、ひも、文字列、ワイヤー、ケーブル、ベルト、またはすべてに固定する締め付けと材料を解放します。Lacevault は、すべてのユーザーとすべての能力や障害や活動、スポーツ、ファッション、仕事、学校など使いやすさ、シンプルさ、迅速かつ効果的な引き締め、保存、ストレージ、ロック、固定および機能をリリースします。この装置に同点または破棄ループまたはバンドル、挟み込む、退治、非表示、Lacevault ちゃんと増分および完全に引っ込む、固定、ロックおよび、Lacevault の保持チャンバー内のすべてのひも材料、離れて安全に保管するための必要性に残っているレースと残りの紐の結び目を retying の必要性がないです。魅力的な取り消し、保存や維持、締め付けや固定、ロック、および簡単にデタッチで、Lacevault を支援し、任意型レース締め、締めと材料を解放し、再接続、器具用必要は全くないでしょう。本明細書に当該装置手動で操作ダイヤルの回転を介して手で、プレスまたはボタンまたは電子的に太陽を開始するレバー、バッテリーのプルを介して自動的に靴またはまたは着用者の一部と足周りからアイテムを締めたり緩めたりする機構を搭載します。Lacevault は、複数のアプリケーションを持って、それは 1) 取り外し可能な独自の製造品目と製造を固定ベースからまたは、靴、バッグ、帽子と、好きなもの、2) のような製品は、ポータブルと全く別のアイテムに 1 つのアイテムから譲渡。ない他の前科の芸術を所有し、それ以外の場合 Lacevault のデザイン、機能、使い方の方法論および複数のアプリケーションの機能に本質的に類似しているなぜあるか。 Lacevault は、すべてのこれらの機能、アプリケーションを通じて革新的な使用法の方法論の異なる組み合わせとここの主張、説明し、図解最先端のデザイン機能を実現します。前芸術の説明現在既存の懸念が、本装置によって解決。前科の芸術の複合体のとおりです。 それはよく知られているほとんどの靴が結び、一緒に固定し、ノッティングや事前の芸術装置毎の方法でロック靴ひもの両端の untying が必要な項目や、しばしば途中で緩めるかがほどけ、もちろん、する必要がないです。問題を持つ人や障害児の関節炎患者、高齢者、子供など、手先の器用さを制限、またはさもなければ結び、ひも、ひも、または他の留め具、締めと非常に困難と材料を解放 retying を見つけるしない場合はしない限り、定数に基づいて管理することは不可能のそれ以外の場合、Lacevault を装備しました。前芸術のできますが本当に場所にしっかりとロックとストアの離れてひも材料やダイヤルまたは円形ポータブル ラチェット装置の回転によって段階的にクリックを緩めます。Lacevault は、さらに多くの使いやすさとボタンの押しによってシン���ルさを提供するために電子版の発明も装着されます。 
シンプルさ。1) 挿入の 2 つのステップ プロセスのみで、2) 手動で回転させるか、太陽ボタンを押す電源どちらかと締めたり緩めたりする靴またはアイテムまたは着用者の一部と足を完全に電子機構。これは合併症と引っ張ってくるの余分な労力を排除、結び目またはそれ以外の場合、使用状況、器用さとの無駄の難しさ時間結び目を結び直すに必要な。また、本装置のロックと着用者まで Lacevault のストレージボールト商工会議所セクション内でひも材料選択項目や、靴のグリップを解放する店として緩める時期尚早なくなります。これらの機能により、流出、ないぶら下がり、緩い、またはループの紐、レース、文字列、ケーブル、ワイヤ、またはそれ以外の靴やアイテムから突出の可能性はないです。したがって、これらの結合の革新的なデザイン、アプリケーションと機能のため、Lacevault は非常に簡単、でも、子供や知的に、またはフィット簡単に自分の靴や、親からの支援なしのアイテムを修理したり、身体障害者介護とまたはそうでなければ、簡単に収まるように独立のそれらを提供してデタッチと自分の靴とまたは援助なしアイテムを取り付けま 。事前の芸術は、アプリケーションと機能とデザインに限られています。 他のすべての前の芸術アプリケーションで単一である、それらどちらか 1) だけ装備している靴に一時的にまたは 2) 彼らは単に固定されたコンポーネントまたは靴または項目の一部として製造されています。Lacevault 1) 携帯やモバイル 2) 取り外し可能、3) 永久的な基本形です完璧かつ正確な緩和を提供することを項目や製品材料をひもを着用者にフィット。それは絶対に携帯とすばやくと簡単にデタッチでき数秒異なる靴またはアイテム タイプのひも材料間で転送されます。
彼らが常にほどけ。 また、靴ひもを結ぶことが困難または傷害そしてさまざまな能力、または障害とのそれらでや高齢者、子供などいくつかの着用はほとんど不可能。たとえば、親必要があります幼児のひもを結ぶ努力を発揮で日に数回。縛ら、通常の摩耗を通して子供達をほどけにレースを引き起こしてレース端のステップ可能性があります。子供、大人、スポーツ選手、障害、ひも、または途中でほどける固定材料とのそれらを表す、最高の状態より多くの仕事再を結ぶため、最悪の場合事故のための機会。アンタイド靴ひもを結び直すに半ば競争を停止する高級スポーツ専門家のためありませんや付いない場合彼ら負傷になる可能性がありますまたは、レースを失うないバスケットを作ることまたはボールを捕まえることができない、そうしないと、何度もテレビで見た個人競技者、またはクラブのオーナー数百万ドルのコストがあります。アンタイド靴ひもによる負傷した星の結果べきである心配はできませんが、それは、現在のプロセスおよび製品とは、Lacevault とそうでないです。 
マジック テープやゴムなどと靴。。 靴と靴ひもなし製造されますが、伸縮性の素材、マジックテープと、靴またはアイテムに適用の使用のそれ以外の方法によってきつく締め項目の懸念もあります。これらの靴の 4 つの主な懸念事項があるタイプ、1 つ;靴来ることができます簡単に、着用者の足をオフ目;また、ヒールとまたは第 3; 着用者の足の角質や原因のあざ通常の摩耗による弾性材料、長続きしないと、彼らはすぐに伸縮性を失い、4;現在弾性やベルクロの締め付けでほとんどの靴は足のアーチやかかとと足首周辺支持ではないです。本装置の実施
形態の発明は、機能、アプリケーション、使用方法と、Lacevault、靴、またはアイテムの機能が足や一部より完璧なタイトなフィット、あざと角質を排除するような手袋を提供するから、来ない設計方法論を通じてこれらの懸念を解決します。 
事前の芸術支援機器が必要です。 靴のひもを結ぶそのせずロックのさまざまなデバイスが開発されている、ほとんどの部分については、これらのデバイスは、いくつかの利点を提示、過度に複雑なまたは非実用的なしたがっていずれかを必要とするデバイスは、靴や靴の永久的な変更を必要とするその後の積分の永久的な据え付け品として行われる靴に永久に接続する装置の一部が必要になります。また、いくつかの事前の芸術は、望ましい結果を提供するために完全に一緒に合う 2 つ以上の部品を必要があります。1) マニュアルにそのような装置を合わせて 2) 証明が必要などと、これは別の問題をさまざまな物理的および精神的能力や障害を持つ人々 と、装置の残りの部分は任意の使用の無効部分の 1 つが行方 3) 場合のため困難であります。 
よく作られた、改ざん。 この機能したがって警備員子によって不要な操作に対して装置改ざん防止、光、スタイリッシュなファッショナブルな強力な迅速かつ簡単に使用です。 
すべてのニーズに適用できます。 Lacevault 設計スタイル、ファッション、機会、障害、スポーツによると、または場合市場の要求によって決定されますそれ以外の場合。 Lacevault、ない緩いまたは宙ぶらりんひも材料: クイック リリース紐ロックで事前の芸術の主要な関心事は、彼ら可能性があります誤ってになって外れる比較的容易に。として結ばれたひもでロック装置が解放するためにあまりにも簡単である場合幼児がそれらを脱いで困難で複雑な修理することだが、それが必要でないとき。綴じひもまたはそれ以外を失う、外回りやのストレージ、商工会議所し、または永久に保管庫を提供してこの問題を保持し、靴紐、レース、またはロック締め付け、締め付けと流出することがなくきれいに材料を解放を再度、Lacevault 発明が解決します。
Lacevault、靴または項目が使用されていない間に接続のまま: 前の前芸術の別の問題は、それが使用しないときはアイテムから完全戸建てに来て簡単に可能性があります彼らが装置の複雑さに不可欠ではありません。Lacevault の発明によってこの問題を解決する、' ロック、ロック機構を緩める段階的アイテムが緩い十分な取られるまで、Lacevault の項目にロックを維持しながらオフします。 
Lacevault、比類のない機能を組み合わせてください。 いくつかの有益な機能を持っている可能性があります以前の芸術があるがそれらのどれもは、Lacevault の機能の組み合わせを所有しているようです。使用状況、複数の機能やデザインの様々 な革新的な方法論はさまざまなアプリケーション機能を組み合わせれば実現できます。 引き締めまたは 2 を解放に 1) ないぶら下がりループ緩やかな材料 3) 完璧なロック 4) 靴または項目の上に座ってスタイリスト デバイス 5) 解除時全く違うアイテムに従事 6) 異業種に適用、) b を無効に) ファッション業界 c) スポーツ専門家 d) アクティブな愛好家や e) ちょうど約だれでもおよび皆によってだけ日常的な使用は編み上げの靴やアイテム。  
発明の分野当該本実施形態の装置、または Lacevault が複合アプリケーション、機能、用途およびデザイン機能と能力を 1つの方法論が発明従事する、実際には設計されています、または効果的にクランプやひものアグレットのホールドをつかむ、螺旋形、それは離れて、Lacevault 商工会議所内ロックしっかりと店を移動する Lacevault のニーズに合わせて設計することができます。や、エレベーターやネジのメカニズムのようならせん型機能が本明細書に当該特許 2 つの描画部分に含まれる撤回、3;保持または、保存、4 つ5 個を締めます固定し、すべてに固定する締め付けと消費者が着用している間に確実に固定材料を解放をロックします。解放するために、ユーザー、消費者や着用者単にプレスやとを押したり引いたりボタンまたはレバーを介して自動的に作動させた and または or の締め付けの歯と紐、レース、ワイヤー、文字列と締め付け、締め付けとどちらか手動で材料を解放のグリップを解放する太陽電池式の電子機構や。あるレースなったり元に戻す、アンタイド、あふれているとひも材料としてそれ以外の可能性はないは完全にロックされているし、Lacevault の外回りの商工会議所またはヴォールトのセクション内で保持されます。種類豊富なデザイン機能の多様性を介して Lacevault ではやここ装置です。絶対にポータブル、モバイルまたは譲渡とアイテムまたは 1 つの靴の間別の完全に異なる靴を入力またはバッグ帽子、またはアイテムの種類など。異なる色の組み合わせ、用途、サイズ、ファッション、スタイル、能力や障害、スポーツ、活動、またはその他または 2 つ。靴と 3 つの永久的な据え付け品をすることができます。注目の靴または取り外し可能なダイヤルで項目の永久的な据え付け品としてデザインをしています、上の部分、または全体ここ言った独立になり、簡単に改装や再適用、または全く別の靴またはアイテム タイプに再接続するため、自然でモバイル機器。Lacevault ではやここ装置と恒久的な基本パーツ、または靴のコンポーネントとして設計されるもとしたり、スポーツ項目従って特定の機会、市場、スタイル、ファッション、能力、障害に合わせて製造されている、またはそれ以外の場合。それは、舌に or を横または項目または、靴の裏に装着されている Lacevault ベース部品で製造されます。 
【図面の簡単な説明】
【０００３】
図1a は、Lacevault のトップの標高を示しています。 
図1b は仰角と左右は右と左の挿入穴を見るです。
図1cイチジク 既に左の靴紐挿入孔と Lacevaultではやここ装置の右側に挿入エントリの穴を入力し始めて右レースに挿入されて左のレースと本装置の発明のオプションのデザインの斜視図であります。
図2aは、ひも Lacevault やも、完全に緩めて素材と、本装置が配置されている使用するための準備や 靴の紐を示しています。
図2bは、ダイアルを回すと締めつけ少し紐を示しています。
図2cと示しています靴紐されて完全に格納容器またはヴォールト内に保持、強化、ロックの場所に永久に固定します
図3aは、内部の最もシンプルで保守的なデザインと靴の紐、または材料のひも上の観点から内部でセンターポール周りを折り返す方法を示しています。
図3bは、Lacevault 発明ではやここ装置のセンター ポールの周りを包むひも材料の側の内部分析観点ビューを示しています。
図4aは、ここに永久的な基盤は言った Lacevault 発明能力を閉じるジッパー付きフラップ内部でひも靴の舌の上に配置、または装置を示しています。
図4bは、Lacevault ではやここ装置を非表示に完全に閉じられているファスナーの工夫とフラップが完全に保持、強化、場所でロックを示しています。
図5は、完全独自設計され、靴内の隠しレースの靴を製造し、永久に配置された、または取り外し可能なは、ここに靴の前面に基本装置を言った弾性素材が靴の舌を交換します。
図6に示すように、レースの靴種類完全に設計され、製造されたスケーターが本当のレースを引き締めが靴の材料とが左側にある場合は、左の靴と右サイドのゴム素材と右の靴は、靴の舌場合の靴の外側の側面に Lacevault または、本装置内で永久に配置された内にある非表示です。
図7aとですか、完全に設計され、製造されたバスケット ボールやスポーツ、レース付きスキーブーツ、またはハイキングの靴の種類が、本当のレースを引き締め、靴の素材に隠され、永久に配置された、または取り外し可能な本は、Lacevault、または装置が左側にある場合は、左の靴と右側の舌としてゴム材料と右の靴なら靴の外側靴。
図7b は完全に設計され、製造されたバスケットボール、または本当の引き締めガイディング ・ プラスチック、または金属片靴の材料とが左側にある場合は、左の靴と右側にある場合は靴の外側に Lacevault または、本装置内で永久に配置された内表示とともに下に表示されているレースとレースをスポーツやハイキング、またはスキー ブーツの靴の種類、右の靴は、靴やアイテムの舌とゴム材料で。
図8a は完全に設計され、製造されたバスケット ボール、または靴の材料の材料内縫いレーススポーツやハイキング、またはスキー ブーツの靴のタイプと、永久に配置された、または取り外し可能なここLacevault、または装置が右側にある場合は男性型の金属を含む靴の外側のカドを右の靴は左の靴と左側だ靴の内側にやプラスチックのホックと女性型の金属、またはプラスチックフックを含む内側のフラップ ・この靴のフラップが開かれています。
図8 b は完全に設計され、製造されたバスケットボールやスポーツ、又はハイキングまたはスケート、または本材料と、永久に配置された、または取り外し可能な内縫いレース付きスキー靴型靴男性型金属、または外側のフラップ上に配置プラスチックフックと右の靴の場合左側と右側をされている場合は、左の靴は靴の内側の装置は従事しています。女性型金属、または靴の内側のフラップにプラスチックのフックでロックされている場所です。ダイヤルは好みに靴を締めに時計回りに回転し、靴または項目を緩和する反時計回りに回転します。
図9aは、ここと押さえ、ファスナー、締付装置、または Lacevault のドレス シューズタイプのバージョンを示しています。 
図9bを金属またはプラスチック装置が着用者が着用されている間の場所で固定の滞在であることを確認するために靴の左右のフラップの上にスライドで押し出しのクローズ アップ表示します。
図9cを着物を着ること、この特定の設計はドレスまたはそれ以外の靴にフィットする方法のクローズアップ表示します。
図10 本装置第3のデザイン機能、靴の両方永続的なコンポーネントであることを示していますが、完全に戸建や削除、別の靴またはアイテム タイプに改装する準備ができてすることができます。 
図 11 に示しますどのようにデザインの機能、用途、機能、Lacevault装備貼付、添付、適用、再適用、再付着、さまざまなその他の製品や、衣料品などさまざまなアプリケーションに製造できることや、本装置のアプリケーションの方法論の多様性を売買、項目、またはそれ以外の場合。 
図 12 は、全く新しいコンセプトの靴やアイテムや商品、または商品に取り外し可能な分離可能なリムーバブル、変更、譲渡、交換可能な唯一の Lacevault ではやここ装置に接続されているを示しています。 
図 13 は、ボルトに合うために材料を結束するためのより多くの部屋があるので、離れて、アグレットを保存する靴や、ひもひも材料と屋根や、Lacevault の上部にヘリックスデザインを旅のアグレットを従事ヘリックスまたはねじ型またはエレベーター設計の機能の異なる視点を示しています、とねじれデザイン アイテムと素材のレースアップが、Lacevault から離されているときを逆の旅。 
【発明を実施するための形態】
【０００４】
Lacevault 24 ではやここ装置の別の実施形態を説明します。ここと押さえ、ファスナー、装置、または Lacevault 24 発明イチジクを引き締めの好ましい実施形態。1 a ダイヤル上どちらかを戦略的に配置される 2 本同装置 24 のトップの標高を示しますが、半ばセクション、または着用者の使用法の方法論のシンプルさを提供するために Lacevault 24 やと本装置の端の組み合わせで Lacevault 24 ではやここ装置として外部から示されているベースとして保持室 1 の一環として生産結合されています。シンプルさ、ここデザイン機能配置、靴紐、または項目挿入またはエントリ穴 3 保持に位置する装置の両側にヴォールトし Lacevault 24 ではやここ装置の 1 部分を商工会議所します。キャップ 1、または 18 のロゴを切り離すことができるその他の法人、チーム、クラブ、ブランド、またはそれ以外の場合 ' Lacevault 24、許可の一番上の領域 18 のロゴ入りキャップは当社から入手する必要があります、Lacevault 24 をまたは別のスタイル、ファッションを提供する接続することができます。図 1 b を示しています、独立した引き締め取り消しやロック機構 21、2 & 本装置、または 21 のそれぞれを独立して引き締め Lacevault 24 の 3 サイドの反対側から独立して 3 完全と増分。4 ・ 9 紐材料がこれらの挿入またはエントリの穴 3 & いちじくを介して挿入されているバッテリー撤回や 1 c ・ 2 c、それは従事している、またはクランプ保持内 20 装置のいずれかの側に位置するヴォールト 1 太陽光経由で and または or 経由でダイヤルを手で回転は手動で 2 の時計回りの回転を強化する準備ができての部屋や、締め付けと解放機構 2 2 装置のダイヤル 2 部分にあるボタンを押すだけで運営されている、本明細書に当該装置内にある電子の収縮機構リトラクト 4 または非表示に、保持室や保管庫 1 の 9 をひものひも、本装置、または外部の顔やプレゼンテーション、または、本装置の外観を与える覆われている Lacevault24 and または or Lacevault 24。 図1 c 左レース 4 とすべて締め、締め付けや左入穴 3、Lacevault 発明ではやここ装置の右側に挿入またはエントリの穴 3 を入力し始めて右レース 4 材料に既に挿入材料を解放ここに当該装置のオプションまたは変更されたデザイン バージョンの斜視図であります。 
図2aを示しています靴の紐やすべての締め付け、締め付けと材料別のオプションまたはわずかに変えられたデザイン バージョンのモバイルと緩和されて完全に 4 を解放、譲渡とポータブル本装置とレースやすべて締め、締め材料 4 の挿入、またはエントリの穴 3 に挿入する準備ができてを解放 6 舌の真上の靴 17 の中央図 2 に配置されている 24。 
図 2 b を示します 20、1、2 を数回回転したダイヤルに従事またはでロックされた置かれた 22、21 ・内部のロック機構によって 1 である 3 挿入またはエントリの穴を通してひも材料 4 が完全に挿入されて保持 1、後退を開始し、締付け過程ここ当該装置にもダイヤルは 6 が靴の舌の真ん中に定住し始めて 24 の 21回転し、4 がされているレースが保持チャンバーとまたはにボルト 1 本同装置 24 の 20、21、22 ・ 1 を撤回します。
図 3a & 図3b 封じ込め室またはヴォールト部分 1 内に保持されている完全に紐 4 を示す 2 c、強化 1 は、安全に 20、22、21 ・ 1 をロック、固定場所図 3 a ・ 3 b で永久に 1。靴の紐、文字列、ワイヤー、ベルト、またはすべてに固定する締め付けと解放する材料 4 図 2 b を緩め、悲しい本装置のダイヤル 2 部分したがって回転 2 反時計回りです。 
図3a は、内部の最もシンプルで保守的なデザインと靴の紐、または材料のひも上の観点から内部でセンター ポール周りを折り返す方法を示しています。イチジク。3b は、Lacevault 発明ではやここ装置のセンターポールの周りを包むひも材料の側の内部分析観点ビューを示しています。図4aを示しています、ここは電子または手動の設計上の特徴、または、本装置や Lacevault 発明図 1 a、1 b ・ 1 
c 中のバージョンは、Lacevault 図 10 6 4 内部的に縫い付けられているひも、靴の舌の上ではやここ装置の取り外し可能なデザインのバージョンをまたは完全に置かれるように設計内で非表示にする 8 のジッパー開閉装置付けフラップ 7 9、ここは言った図 4 b に示すように、それは完全にきつく締められるときの装置。 
図 4 b: 表示中閉じられる靴の 7 フラップとジッパー 8 工夫されて完全に北上、または、上に描画と閉じたりフラップ 7 を一緒に持って来るために靴 17 され、そう非表示図 4b ここ当該電子的に、または手動で作動させたリテーナ、ファスナー、図 1 a、1 b ・ 1 c の装置、または Lacevault を引き締め、強化、場所で完全にロック図 4 a。 
図5 は完全に設計され、製造された、様式化された靴 17 ない 9 または 10 の舌を示すひも、したがって製造、この特定の靴設計図 5 の生産に含まれています。この特定の設計図 5 靴 17 またはアイテムのひも材料 4 部分を完全に隠し、縫製 9 素材靴 17 または項目の 7、本明細書に当該電子的または手動操作装置や Lacevault 図 1 a、1 b ・ 1 c、常時配置されます、または途中に直接位置しています靴の 16 Lacevault 24 または、本装置の取り外し可能なデザインで、弾性材料の場所や完全に置かれる 10 が靴の舌 6 部分を置き換えられます、電子や本運営マニュアルと自動的に・完全に締め 21、20、22 ・ 1 足や一部アイテム 17 着用者の周辺装置、または手動でまたは電子的に回転、靴または項目 17 である従って快適、十分なだけを示す Lacevault 2つ、ユーザーや消費者。本明細書に当該電子的または手動操作装置することができます設計図 5 内輪または外輪の側面または足の靴または市場、トレンド、ファッションの要求によって指定されたデザイナーの好みによると 17 項目のいずれかに配置、またはそれ以外の場合されているここに当該装置。イチジク。様々 な別の 6 設計靴 17 とまたは Lacevault 24、図 1 a、1 b ・ 1 c ではやここ装置が含まれ、完全にスケーター、スポーツ、生産アイテム ドレスし靴 17 と入力して、またはアイテムふり 9 または実際のレース内で完全に隠された 9 になって 9 そして縫製素材 17 の靴 17 に 9、または項目本当のひも材料を引き締めで示されている 4。外側側面の靴 17 または 17 を提供するより良い靴の項目、右側にある場合、それは右または、17 の左の靴は左側が項目の図 6 の場所で設計された Lacevault 1 & 2 は永久に着脱により製造安定性と強度はダイヤル 2 で回転されると隠されたひも材料 9 は、快適されていると完全に締めや足周りを装備や一部、または着用者のアイテム。これは単なる機会、スタイル、トレンド、ファッション、スポーツ、能力や障害者、年齢に合うように設計上の特徴の多くの異なった変化の例、またはそれ以外の場合。 
たとえば図7a は完全にすべてに固定する締め付けと材料 9 または恒久的に非この図7a具体的にはバスケット ボールやスポーツのイラストや、ハイキング、またはふりレース材料 4 のひもノーマル タイプとして表示される 9 とスキー靴型靴内のアイテムに固定を解放または、レースを製造するため設計されています、本当の材料 9 の引き締めが 17 項目または靴の材料に完全に隠された、縫製の図 7b。本装置図 1 a、1 b ・ 1 c 基本は戦略的かつ恒久的に貼付し、靴図 7 a ・ 7 b とまたは弾性材型 10 項目の外側に配置されて靴 17 またはアイテムの舌 10。 
今、図 7b の図とですか、完全に永久的な取り外し可能な本や、装置の設計、製造されたバスケットボールやスポーツ ハイキングやスキー靴型靴、または締めひも材料 9 実数を示す総合的レースおよびまたはすべての固定材料 4 の 17 項目は図 9 は言った、それは本当に下に製造方法を示す隠された総合的に示す靴紐 9 はガイディング ・ プラスチック、または保つ金属片 11、材料の 9 を置き、それは完全に着用者の足周りを強化されているときまたひも材料 9 の引きアクション、ガイドをひもに隠されています。 
図8aは、ここではデザイン、機能、アプリケーションの使用方法に、本装置の汎用性を表示する別のオプションまたはわずかに変更されたデザイン。それは、完全に隠されたレースと 7 ・靴靴 17、またはプラスチック フック12 と男性型の金属を含むアイテムの外側フラップ 7 と内側のフラップの 17 の 9 材料内に縫い付けられている9 項目または、バスケット ボールやスポーツ、ハイキング、またはスキー ブーツ型シューズ 17用の製造設計女性型金属またはプラスチックを含む 7 13 をフックと図示するこの靴のフラップ 7完全に緩めて着用者の足や部分や項目を挿入するための準備を開いた。それもスタイル、快適性、汎用性と最も重要な使用法とアプリケーション任意着用者、ユーザー、または消費者によって 2のシンプルさ子供、大人、スポーツのプロ、スポーツ愛好家、無効にするかどうかまたは提供障害トイザらスのボディ、またはそれ以外の場合。デザイナーの様々 な機能、アプリケーションと使用状況図 2 a、2 b、2 c の方法の多様性のための設計の自由度を提供するために Lacevault の技術革新やあるいはここ当該装置 24 を介して靴 17 さあ今から製造される唯一の方法があります。あなたの靴 17 またはアイテムに入れて、単にあなたの足、または一部に項目、挿入、回転する場合はダイヤル靴 17 を時計回りに 2、または、完璧に装着するアイテム強化、固定、20、21、22 ・ 1 すべてに固定する締め付けと見られる 4 材料を解放または、任意の靴ひもなしと靴 17 またはアイテムを緩めロック、単に反時計回りの 2 ダイヤルを回転させます。図8bは完全に設計され、様式化された、製造されたバスケット ボールと[スポーツとかハイキングやスキーのブーツ靴 17 レース縫製靴やアイテム ・ 24、1 ・ 2 ダイヤル 2 または当該本装置材料 17 9 は取り外し可能なため男性型金属 17 靴の内側に装置を配置または、プラスチック フック 12 7 の外側のフラップの配置が女性型の金属やプラスチックとの従事とでロックされている場所は、17 の靴の内側のフラップ 7 にある 13 をフックします。6 に示すように、レースの靴種類完全に設計され、製造されたスケーターが本当のレースを引き締めが靴の材料とが左側にある場合は、左の靴と右サイドのゴム素材と右の靴は、靴の舌場合の靴の外側の側面に Lacevault または、本装置内で永久に配置された内にある非表示です。とき 7 フラップが閉じられます 13 12 と男性女性フックが従事しているダイヤル 2 Lacevault 24 の回転は、手動でまたは自動的に時計回りに靴 17 またはアイテムを強化して、反時計回りに回転を緩める。ドレス シューズも 17やアイテムにだけ弾性締付け材料 10 に付属しているが緩むし、着用者、ユーザー、消費者のヒールで摩耗がしばしば。救援を提供する親、子ども、健常者と障害者のため、介護、ファッション意識、トレンド セッター、スポーツ愛好家、専門家や大人も。あなたは決してオリンピック、プロのランナー、サッカー、スケート、テニス、バスケット ボール、または装備 Lacevault 24 ポータブル プレーヤーを持っているがそれ以外のイベントを参照してくださいまたはここ図 8 b 靴のベンドを 4 のレースを強化するゲームや、競争の真ん中に。 
図9 a は、それが具体的に設計されていますが、ドレス靴図 9 c に装着を示しています。このデザインは、金属とまたはフラップ 7 17、靴の下に押し込むだろうが 6 安全なタイプを持つベースの端を舌の上に座っているプラスチックの基本 15 工夫図 9 b に示すように、フラップ 7 前後をフック 15 本明細書に当該装置の設計機能図 9 c の安定性を提供してに示すように着用されている間の場所にしっかりとそれを維持するには図 9 c。 
イチジク。9 b、スライド、左右フラップ 7 本装置図 1 a、1 b ・ 1 c 滞在ながら靴紐、レース、文字列、固定を保証するために靴 17 のワイヤー、ベルトとすべて締め、締め付けや材料 4 を解放されて完全に保持に収納されており Lacevault 24 の部屋でロックされている金属またはプラスチック 15 またはその他材料の押出成形をクローズ アップしながらそれが着用しています。図 10 本明細書に当該装置のデザイン アプリケーション、図 1 a、1 b ・本明細書に当該装置の基本部分を設計するか、靴としての恒久的な一部 16 として貼付その 1 c の取り外し可能な機能は、図 4 a、4 b に示されている 5、6、7 a、7 b、8 a、8 b。着用者の後隠されたひも材料 9 それによって隠されたデタッチ穏やかな綱引を与える 9 をひも靴の Lacevault 24 Lacevault 24 を完全にレンダリングするから項目または、17 ・ 3戸し、妥当性の基本部分から携帯電話製造靴またはアイテム。今、取り外し可能な Lacevault 再適用しまたは他の項目または靴 17 型に再アタッチします。靴 17、または隠されたひも材料は、図 10 に示す 9 項目に恒久的に貼付されている基本部分 16 を挿入を介して突出するそれ以外の場合や、完全に製造された靴に残るものは分離のプラスチック、金属エントリ穴分離に位置する 3 基の Lacevault 図 10 ではやここ装置 16。このデザイン機能により、別の全く異なる色またはスタイルやバージョンを図 10 に示すように固定の基本部分に接続されているか、装備の Lacevault。従って、本明細書に当該装置の取り外し可能なデザイン バージョンが譲渡か Lacevault ではやここ装置の他の取り外し可能なまたはモバイル バージョンと交換可能。 
図 11 と共に、非表示 9 装備や任意商品や記事や項目や製品 10 ・ 7 ・など 17 に適用、バッグ、パンツ、時計、手首だけに限定されないことをひも、またはそれ以外の場合、Lacevault 24 または、本装置の汎用性を示していますバンド、車、または自動車用シートベルト、や、ストラップ、ロープ、フード付き、またはそれ以外の場合トップの靴、ゴーグルやメガネ、膝や足首やそれ以外の場合のブレースや他の製品とやアイテム売買機能、アプリケーション、使用法や 24 本明細書に当該装置のデザイン機能方法を必要がある 17。再び、本装置 24 本同図 11 図帽子それ取り付けることができます、接続されている、固定やで製造や製品、商品、または項目 10、商業または市場の場所のストリームで 17 に 16 を適用のように明確に。 
図 12 は、靴やアイテム、または製品の 17 着脱式や分離やリムーバブルや変わりや譲渡や交換可能な唯一の 25 本含まれている全く新しい、革新的な概念を示しています。唯一接続されて 4、21、7、9、10、11 ・ 12 本明細書に当該装置 24 従事 12 貼付し靴の唯一の 25 に製造や、本装置が手動で、または自動的に時計回りになっているクリップする場所に保持することができると、それにより取り消しの締め付け機構で靴にくっつける方法らしいかと、引き締めとソール、靴 17 の半分、または上の部分の下に、図 12 21 をロックします。靴は簡単に唯一の 25 から分離し、その後再適用またはいずれかの上に再装着他独自製造彼らはすべて標準化された継ぎ手は、それによって彼らがすべて独自の裏本当該所有者によって製造された 25 の交換で製造された唯一の 25。だからミキシングと一致する色と様々 なスポーツによる足の裏 25 されて交換や再適用や再接続や欲望や着用者の好みによると相互に交換します。もう一度、スポーツの靴 10 とドレス靴単独、または異なる色やさまざまなファッション、トレンド、またはスタイルから靴 10 の同じ上の部分に唯一 25 を再接続することができます唯一の 25 は取外し可能します。 
イチジクや Lacevault やここ装置の 13、レース ホルダーまたはクランプ 42 ・ 20 が設計されている突出のらせんと真ん中のセンター ポール倒立螺旋エレベーターの機能に合致の結果は、クランプが上または、Lacevault の屋根にらせんを旅の関数を入力するとき。クランプ含まれるらせん 40 と中心の反転穴 41 バージョンとか、ポール 41 や Lacevault やここ装置の周りをラップ、または中間 40 ヘリックスの斬新でユニークなデザイン機能、装備、または Lacevault 24 
で組み立て、独自の発明した設計されているレース ホルダーとまたはクランプ 42 上または、Lacevault の屋根にエレベーターのように移動するための機能4 ・ 9 アグレットを撮影し、場所に完全に座って、靴 17 から 4 ・ 9 のひもの残りの部分が保持 2 Lacevault 24 商工会議所に取り消し中ながら Lacevault 24 の下の部分から格納されます。繰り返しますが、これは完全に主張している、説明し示すように、図 13 となる主張できません任意他のエンティティやエンティティや株式会社や個人、または事前の芸術に挑戦する独自発明デザイン機能です。それはまた春 19 ロード リリースを示しています、ロゴ キャップ 18 ・ 32 は Lacevault、別図 13、完全に取り外し可能なされている、独立した 32 & 18 ロゴキャップの残りの部分から別ブランド、またはそれ以外の場合のロゴ。
【図１ａ−１ｂ】
2017501754.tif 000003
【図１ｃ】
2017501754.tif 000004
【図２ａ】
2017501754.tif 000005
【図２ｂ】
2017501754.tif 000006
【図２ｃ】
2017501754.tif 000007
【図３ａ】
2017501754.tif 000008
【図３ｂ】
2017501754.tif 000009
【図４ａ】
2017501754.tif 000010
【図４ｂ】
2017501754.tif 000011
【図５】
2017501754.tif 000012
【図６】
2017501754.tif 000013
【図７ａ】
2017501754.tif 000014
【図７ｂ】
2017501754.tif 000015
【図８ａ】
2017501754.tif 000016
【図８ｂ】
2017501754.tif 000017
【図９ａ−９ｂ】
2017501754.tif 000018
【図９ｃ】
2017501754.tif 000019
【図１０】
2017501754.tif 000020
【図１１】
2017501754.tif 000021
【図１２】
2017501754.tif 000022
【図１３】
2017501754.tif 000023
【図１４】
2017501754.tif 000024
【図１５】
2017501754.tif 000025
【図１６】
2017501754.tif 000026
【図１７】
2017501754.tif 000027
【図１８】
2017501754.tif 000028
【図１９】
2017501754.tif 000029
【図２０】
2017501754.tif 000030
【図２１】
2017501754.tif 000031
【図２２】
2017501754.tif 000032
【国際調査報告】
2017501754.tif 000033
2017501754.tif 000034
2017501754.tif 000035
2017501754.tif 000036
2017501754.tif 000037
2017501754.tif 000038
2017501754.tif 000039